(57)【要約】  第１デバイスに対して、プロファイル情報を判定する方法及び装置が開示され、方法及び装置は、第２デバイスから入力を受信することであって、第１デバイス又は第２デバイスの少なくとも１つは、その領域にいる人々の物理的特徴を検出し、物理的特徴は、その領域に誰がいるかを判定するためにデバイスによって使用される、受信することと、その領域にいる人々のプロファイル情報を受信することと、その領域の人々のプロファイル間の関係を判定することと、その領域にいる人々のプロファイル間の関係に応答してデバイス設定に関してコンプロマイズをネゴシエートするためにルールを適用することと、コンプロマイズに応答して第１デバイス又は第３デバイスの設定を調整することと、を含む。
2018530186.tif 000002
【特許請求の範囲】
【請求項１】
第１デバイスに対してプロファイル情報を判定するための方法であって、
第２デバイスから入力を受信することであって、前記第１デバイス又は前記第２デバイスのうちの少なくとも１つは、領域にいる人々の物理的特徴を検出し、前記物理的特徴は、前記領域にいるユーザを判定するために前記デバイスによって使用される、受信することと、
前記領域にいる前記人々のプロファイル情報を読み出すことと、
前記領域にいる前記人々のプロファイル間の関係を判定することと、
前記領域にいる前記人々のプロファイル間の前記関係に応答してデバイス設定に関するコンプロマイズを判定するためにルールを適用することと、
前記コンプロマイズに応答して第１デバイス又は第３デバイスの設定を調整することと、
を含む、方法。
【請求項２】
第１デバイスに対してプロファイル情報を判定する方法であって、
第２デバイスから入力を受信することであって、前記第１デバイス又は前記第２デバイスのうちの少なくとも１つは、領域にいる人々の物理的特徴を検出し、前記物理的特徴は、前記領域にいるユーザを判定するために前記デバイスによって使用される、受信することと、
前記領域にいる前記人々のプロファイル情報を読み出すことと、
プロファイル間の関係を判定することと、
を含む、方法。
【請求項３】
前記領域にいる人々によって行われている活動の種類を判定することをさらに含む、請求項２に記載の方法。
【請求項４】
前記活動は、歌うこと、踊ること又は運動することである、請求項３に記載の方法。
【請求項５】
前記領域にいる人々の間の距離を判定することと、
前記領域にいる人々の間の前記距離に応答して第１デバイス又は第３デバイスの設定を調整することと、
を、さらに含む請求項２に記載の方法。
【請求項６】
人々の間の前記距離は、前記領域の人々の間の平均距離である、請求項５に記載の方法。
【請求項７】
前記設定調整は、前記第１デバイス上の字幕を修正すること又は前記第１デバイスのボリュームを調整すること又は前記第３デバイスの暖房若しくは冷房の設定又はボリューム設定を調整することを、含む請求項５に記載の方法。
【請求項８】
前記第１デバイス又は前記第２デバイスからの人々の距離を判定することと、前記領域の前記第１デバイス又は前記第２デバイスからの人々の前記距離に応答して、第１デバイス又は第３デバイスの設定を調整することと、をさらに含む、請求項２に記載の方法。
【請求項９】
前記設定調整は、前記第１デバイス上の字幕を修正すること又は前記第１デバイスのボリュームを調整すること又は前記第３デバイスの暖房若しくは冷房の設定を調整することを含む、請求項８に記載の方法。
【請求項１０】
前記第２デバイスは、また、前記領域の照明の状態を検出し、第３デバイスの設定を調整する、請求項２に記載の方法。
【請求項１１】
前記第１デバイスに知られていない前記領域にいる人々に対して、又は前記第１デバイスによって認識されているが前記第１デバイス上にプロファイルを持たない前記領域にいる人々に対して、又は前記第１デバイスに注目していない前記領域にいる人々に対して、ゴーストプロファイルを作成することをさらに含む、請求項２に記載の方法。
【請求項１２】
複数の機会に渡っての認識に応じて前記ゴーストプロファイルを更新することをさらに含む、請求項１１に記載の方法。
【請求項１３】
前記第２デバイスからの入力として受信される物理的特徴を含むゴーストプロファイルからプロファイルを作成することをさらに含む、請求項１１に記載の方法。
【請求項１４】
デバイス設定を調整する装置であって、
第２デバイスから入力を受信し、第１デバイス又は前記第２デバイスのうちの少なくとも１つが、領域にいる人々の物理的特徴を検出する通信インタフェースであって、前記物理的特徴は、前記領域にいるユーザを判定するために前記デバイスによって使用される、通信インタフェースと、
前記領域にいる前記人々プロファイル情報を読み出す、プロファイルモジュールであって、前記プロファイルモジュールは前記通信インタフェースと通信し、前記領域にいる前記人々のプロファイル間の関係を判定し、ストレージモジュールに前記判定された関係を記憶する、プロファイルモジュールと、
前記領域にいる前記人々のプロファイル間の前記関係に応答してデバイス設定に関するコンプロマイズを判定するルールを適用するネゴシエーションスキーム判定モジュールと実行ネゴシエーションスキームモジュールであって、前記ネゴシエーションスキーム判定モジュールと前記実行ネゴシエーションスキームモジュールは、互いに通信し、前記ネゴシエーションスキーム判定モジュールは、前記ストレージモジュールと通信する、ネゴシエーションスキーム判定モジュールと実行ネゴシエーションスキームモジュールと、
前記コンプロマイズに応答して第１デバイス又は第３デバイスの設定を調整し、前記実行ネゴシエーションスキームモジュールと通信する、調整設定モジュールと、
を備える、デバイス設定を調整する装置。
【請求項１５】
第２デバイスからの入力を受信する通信インタフェースであって、第１デバイス又は前記第２デバイスのうちの少なくとも１つは、領域にいる人々の物理的特徴を検出し、前記物理的特徴は、前記領域にいるユーザを判定するために前記デバイスによって使用される、通信インタフェースと、
前記領域にいる前記人々のプロファイル情報を判定し、前記通信インタフェースと通信し、プロファイル間の関係を判定するプロファイルモジュールと、
を備える、プロファイル情報を判定する装置であって、
前記装置が第１デバイスである、装置。
【請求項１６】
前記領域にいる人々によって行われる活動のタイプを判定し、前記通信インタフェースと通信する存在判定モジュールをさらに備える、請求項１５に記載の装置。
【請求項１７】
前記活動は、歌うこと、踊ること又は運動することである、請求項１６に記載の装置。
【請求項１８】
前記第２デバイスからの入力に応答して前記領域にいる人々の間の距離を判定する、存在判定モジュールと、
前記領域にいる人々の間の前記距離に応答して前記第１デバイス又は第３デバイスの設定を調整し、前記通信インタフェースと通信する、調整設定モジュールと、
をさらに備える、請求項１５に記載の装置。
【請求項１９】
人々の間の前記距離は、前記領域の人々の間の平均距離である、請求項１８に記載の装置。
【請求項２０】
前記設定調整は、前記第１デバイス上の字幕を修正すること、又は前記第１デバイスのボリュームを調整すること、又は第３デバイスの暖房若しくは冷房の設定又はボリューム設定を調整することを含む、請求項１８に記載の装置。
【請求項２１】
第１デバイス又は第２デバイスからの人々の距離を判定する存在判定モジュールと、
前記領域にある前記第１デバイス又は前記第２デバイスからの人々の前記距離に応答して、前記第１デバイスと第３デバイスの設定を調整し、前記通信インタフェースと通信する、調整設定モジュールと、
をさらに備える、請求項１５に記載の装置。
【請求項２２】
前記設定の調整は、前記第１デバイス上の字幕を修正すること又は前記第１デバイスのボリュームを調整すること又は前記第３デバイスの暖房若しくは冷房の設定を調整することを含む、請求項２１に記載の装置。
【請求項２３】
前記第２デバイスは、また、前記領域の照明の状態を検出し、第３デバイスの設定を調整する、請求項１５に記載の装置。
【請求項２４】
前記第１デバイスに知られていない前記領域にいる人々に対して、又は前記第１デバイスによって認識されているが前記第１デバイス上にプロファイルを持たない前記領域にいる人々に対して、又は前記第１デバイスに注目していない前記領域にいる人々に対して、ゴーストプロファイルを作成する前記プロファイルモジュールをさらに備える請求項１５に記載の装置。
【請求項２５】
前記プロファイルモジュールが、複数の機会に渡る認識に応じて前記ゴーストプロファイルを更新することをさらに含む、請求項２４に記載の装置。
【請求項２６】
前記プロファイルモジュールが、前記第２デバイスからの入力として受信した物理的特徴を含むゴーストプロファイルからプロファイルを作成することをさらに含む、請求項２４に記載の装置。
【請求項２７】
前記装置は、消費家電デバイスである、請求項１４に記載の装置。
【請求項２８】
前記消費家電デバイスは、家庭電化製品である、請求項２７に記載の装置。
【請求項２９】
前記家庭電化製品は、テレビジョン、セットトップボックス及びオーディオ・ビデオレシーバのうちの１つである、請求項２８に記載の装置。
【請求項３０】
前記装置は、消費電化デバイスである、請求項１５に記載の装置。
【請求項３１】
前記消費電化デバイスは、家庭電化製品である、請求項３０に記載の装置。
【請求項３２】
前記家庭電化製品は、テレビジョン、セットトップボックス及びオーディオ・ビデオレシーバのうちの１つである、請求項３１に記載の装置。
【発明の詳細な説明】
【技術分野】
【０００１】
提案される方法及び装置は、外部からの刺激（external  stimuli）に基づいて家庭電化製品（home  appliance）の設定（settings）を自動的に調整することに関連する。
【背景技術】
【０００２】
このセクションは、以下で説明される本実施形態に関連するかも知れない技術の様々な態様を読者に紹介することを目的とする。この議論は、本開示の様々な態様のより良い理解を促すために背景情報を読者に提供する手助けになると考える。従って、これらの記述は、この観点で読まれるべきであると理解されるべきである。
【０００３】
人々は、かれらのデバイス上の設定に関して言えば、異なるプリファレンス（preferences：好み）を持つ。これらのプリファレンスは、時刻（time  of  day）／周囲の照明（ambient  lighting）などの状況によって変更することができる。
【０００４】
異なるキーが使用されたとき又は特定のドライバを示すためにボタンが押されたとき、一部の車はシートポジション及びミラーを自動的に変えることができる。これは、ドライバとの対話（ボタン押下）を必要とする。これは、また、複数の同時に存在するユーザには適用できない。
【発明の概要】
【０００５】
提案される方法及び装置は、ユーザによって設定を自動的に変更し、２人以上のユーザ間の設定を自動的にネゴシエートする（negotiate）デバイスを有する方法を含む。提案される方法及び装置は、デバイスのオーナーによってそのように構成された場合、他の外部の刺激によってデバイス設定を修正もする。すなわち、提案される方法及び装置は、制限なく周囲の照明、時刻、その部屋に誰がいるかなどの外部要因に基づいて、制限なくＴＶ、ＳＴＢ、Ａ／Ｖレシーバなどの家庭電化製品（home  appliance）の設定を自動的に調整することができる。
【０００６】
デバイスの設定をネゴシエートし、調整するための方法及び装置が説明され、その方法及び装置は、領域に誰がいるかを判定すること、その判定に応じて設定をネゴシエートし、ネゴシエートされた設定を使用してデバイスを調整することを含む。また、第２デバイスから入力を受信すること、その入力に応答して、デバイスの設定又は第３デバイスの設定を調整することを含む、第１デバイス上のデバイスの設定を調整する方法及び装置が説明される。また、第１デバイスに対するプロファイル情報を判定するための方法及び装置が説明され、その方法及び装置は、第２デバイスから入力を受信することであって、第１デバイス又は第２デバイスの少なくとも１つは、その領域にいる人々の物理的特徴を検出し、物理的特徴は、その領域に誰がいるかを判定するためにデバイスによって使用される、受信することと、その領域にいる人々のプロファイル情報を読み出し、その領域にいる人々のプロファイル間の関係を判定し、その領域にいる人々のプロファイル間の関係に応答してデバイス設定に関してのコンプロマイズ（compromise：妥協）をネゴシエートし、コンプロマイズに応答して、第１デバイス又は第３デバイスの設定を調整することと、を含む。
【図面の簡単な説明】
【０００７】
提案される方法及び装置は、添付図面と共に読まれるとき、以下の詳細な説明から最も良く理解される。図面は、以下の図面の簡単な説明を含む：
【０００８】
【図１】提案される方法及び装置の原理に従ったデバイスの例となる自動設定ネゴシエーションスキームのフローチャートである。
【図２】提案される方法及び装置に従った例となるデバイス構成スキームのフローチャートである。
【図３】提案される方法及び装置の原理に従った例となるデバイスの動作の概略図である。
【０００９】
図面は、本開示の概念を説明する目的のためのものであり、本開示を説明するための唯一の取り得る構成ではない点を理解すべきである。
【発明を実施するための形態】
【００１０】
本説明は、本開示の原理を説明する。当業者であれば、本明細書中に明示的に説明又は示されていないとしても、本開示の原理を具体化し、その範囲内に含まれる様々な構成を発明することができることが、それ故に理解される。
【００１１】
本明細書中に列挙されるすべての例及び条件となる言葉は、本開示の原理を読者が理解することを助けるための教育的目的を意図し、発明者によって貢献される概念は、技術を促進させ、そのような特に列挙された例や条件に限定されることなく、解釈されるべきである。
【００１２】
その上、開示の原理、態様及び実施形態を説明する本明細書中のすべての意見は、それらの特定の例と同様に、それらの構造的な及び機能的な均等物の両方を包含することを意図する。加えて、そのような均等物は、現在知られている均等物及び、将来開発される均等物、すなわち、構造にかかわらず同じ機能を実行するように開発される任意の要素などの両方を含むことを意図する。
【００１３】
それ故に、例えば、当業者でれば、本明細書で表されたブロック図が本開示の原理を具体化する例となる回路の概念図を表現していることが理解される。同様に、任意のフローチャート、フロー図、状態遷移図、疑似コードなどは、コンピュータ読取可能媒体中に実質的に表現され得る様々なプロセスを表現し、そのようなコンピュータ又はプロセッサが明示的に示されているか否かのいずれにせよ、コンピュータ又はプロセッサによって実行できることが理解される。
【００１４】
図に示された様々な要素の機能は、専用のハードウェア及び適切なソフトウェアと協働してソフトウェアを実行する能力のあるハードウェアの使用を通して提供することができる。プロセッサによって提供されるとき、機能は、単一の専用のプロセッサによって、単一の共用プロセッサによって、又はそれらのいくつかが共用することができる複数の個々のプロセッサによって、提供することができる。その上、用語、「プロセッサ（processor）」又は「コントローラ（controller）」の明示的な使用は、ソフトウェアを実行する能力のあるハードウェアを排他的に指していると解釈すべきではなく、デジタルシグナルプロセッサ（ＤＰＳ）ハードウェア、ソフトウェアを記憶するリードオンリメモリ（ＲＯＭ）、ランダムアクセスメモリ（ＲＡＭ）、及び不揮発性ストレージを制限なく、黙示的に含むことができる。
【００１５】
従来の及び／又はカスタムの他のハードウェアも含むことができる。同様に、図に示されたスイッチは、概念のみである。これらの機能は、プログラムロジックの動作を通して、専用のロジックを通して、プログラム制御と専用のロジックとの対話を通して、又は手作業でさえも実行することができ、開発者によって選択できる特定の技法は、文脈からより具体的に理解することができる。
【００１６】
本願の請求項において、特定の機能を実行するための手段として表現された任意の要素は、例えば、ａ）その機能を実行する回路要素の組み合わせ、ｂ）従って、その機能を実行するソフトウェアを実行するための適切な回路と組み合わせられる、ファームウェア、マイクロコードなどを含む任意の形式のソフトウェアを含む、その機能を実行する任意の方法を包含することを意図する。そのような請求項によって定義される本開示は、様々な列挙された手段によって提供される機能性が、請求項が要求する方法で組み合わせられ、且つまとめられるという事実に存する。それ故に、これらの機能性を提供することができる任意の手段は、ここに示されたものと均等であると見なされる。
【００１７】
提案される方法及び装置は、家庭電化製品（home  appliances）及びそれらのユーザを対象とする。ユーザは、様々な方法を経由して電化製品に「ログイン（log  in）」することができる。いくつかの例は、リモートコントロール又はスマートフォン／タブレットのアプリケーションを経由した単純なログイン、ある種のオーディオＩＤ（声による個人の認識、又は「スティーブでＴＶにログイン」などの専用のボイスコマンド）又は視覚認識（マイクロソフトからのキネクトカメラなど）又は指紋又は虹彩スキャンなどの他のバイオメトリックデータ（biometric  data）を経由したログインである。
【００１８】
一旦、ユーザがログインすると、電化製品は、そのユーザの好む設定に一致するように設定を変更することができる。ユーザ、スティーブが高い輝度と３０のボリューム設定を好む場合、電化製品は、それらを自動的に設定するだろう。
【００１９】
これらの設定は、環境の現在の状況によって修正することができる。例えば、その部屋の周囲の照明が暗い場合、輝度設定は、色々な理由で、いく分弱められる：輝度は、その部屋の現在の状況に対して強すぎるとか；又は輝度の低減は、節電することができるとか。オーディオレベルは、その部屋の周囲のノイズに応答して変更することができる。もう少し検討すると、電化製品はビデオカメラを使用する場合、スティーブがサッカーのジャージを着ており、そして、電化製品の設定を自動的に「スポーツ」モードに変更することが分かる。
【００２０】
設定に影響を与える可能性がある別の状況は、時刻（time  of  day）である。ユーザは、時刻依存の異なる設定を持つこともでき、又は太陽が沈んだ後、ボリュームレベルと輝度を減らすなど時刻を考慮して設定を修正することもできる。
【００２１】
設定は、ユーザの行動に適合することもできる。いくつかの外部の状況に基づいて輝度を自動的に減少させた後、ユーザであるビルは、いつも輝度を元のように上げる場合、電化製品は、これを学習し、ビルがその部屋にいるとき、輝度を修正することを止める（又はよりわずかにそれを修正する）。
【００２２】
部屋に１人以上の人がいる又は「ログイン」しているときは、電化製品は、どの設定が使用されるかを決定しなければならない。これを達成するには多くの方法があり、ここで説明されるいくつかの実例は：
・好ましい設定の単純な線形組み合わせ（（Ａ＋Ｂ＋Ｃ／３））、つまり、スティーブは３０のボリュームを好み、ビルは２０のボリュームを好み、キャシーは４０のボリュームを好む場合、ボリュームは、自動的に３０に設定されるだろう［ｆｌｏｏｒ（（３０＋２０＋４０）／３）］。
・好ましい設定の重み付きの組み合わせ（（２Ａ＋２Ｂ＋Ｃ）／５）、その部屋にいる人々の相対的な状況に依存する（例えば、キャシーは子供で、ビルとスティーブが大人であり、多分、キャシーは設定により小さい影響を及ぼす）。上述の数字を使用すると、ボリュームは、２８［ｆｌｏｏｒ（（６０＋４０＋４０）／５）］に設定されるだろう。
・ユーザが線形なやり方で又は所定の関数又は重み付けによって調整したくないある設定がある。これらの設定は、所定のカーブによって表現することができ、その部屋のユーザの平均（mean）又は重み付け平均（weighted  mean）に対応するカーブ上の点に調整する（変更する）ことができる。ビルの値、２０がカーブ上の点５に一致し、スティーブの値、３０がカーブ上の点７に一致し、キャシーの値、４０がカーブ上の点１２に一致し、カーブ上の平均点は、８［ｆｌｏｏｒ（（５＋７＋１２）／３）であり、これは、ボリューム設定３２に対応することができる。
・ドミナント／リセッシブのコンセプトは、２つの方法のうちの１つで適用することができる：
・人によるドミナンス（dominance：優越性）：スティーブがその部屋にいる場合、彼の設定は、他人より優先する。その部屋に「リセッシブ（recessive：劣性の）」と分類される人々のみいる場合、次に、ネゴシエーションは、別の方法のうちの１つを経由したものであり得る。「ドミナント（dominant：優性の）」と分類される１人以上がいれば、次に、他の方法のうちの１つを経由してネゴシエーションが行われる。
・設定によるドミナンス：特定の設定は、「ドミナント」として指定することができ、それは、その部屋にいるドミナントな人によって、設定がセットされることを意味し、単純なオン／オフ型の設定に対して最も適し得る。
・ユーザはすべて優先順位（priority）を持つことができ、その部屋で最も高い優先順位を持つユーザがネゴシエーションに勝つ。
・設定は、単純な過半数が勝つシナリオによって判定することもできる（オン／オフ型の設定に対しては最も適している）。例えば、ビルとキャシーは、ＨＤＲモードオンが好きだが、スティーブは好きではない場合、ビルとキャシーの連合が勝つ。
・設定は、その部屋のユーザの好ましい設定の中で最も低い値によって判定することができる。例えば、ビルとキャシーはＨＤＲモードオンが好きで、スティーブが好きではない場合、スティーブは、最も低い設定として勝つ。ボリュームの例では、ビルは、最も低い設定で勝つだろう（２０＜３０＜４０）。
・電化製品がカメラを使う場合、電化製品（カメラ）は、誰の設定が使用されるかに関する友好的な競争（friendly  competition）の結果さえも検出することができる。適切なソフトウェアを持つカメラは、じゃんけん又は腕相撲の試合の結果を検出する可能性がある。
【００２３】
これらのモードの組み合わせも、可能である（及びときどき必要であり得る）。すべての設定ネゴシエーションが、同じスキームに従うことも可能であるが、各設定が異なるネゴシエーションスキーム（negotiation  scheme）を使用することも可能である。
【００２４】
設定がその部屋の人々のグループによって修正された場合、電化製品は、同じ人々のグループがすべてその部屋にいる次のときに、そのグループからの設定を記憶しておくことができる。グループより多くの人々がその部屋にいる場合は、ネゴシエーションは、一から行われるかも知れないし、又は彼らのプリファレンスとして以前にネゴシエートされた設定を使用する単位としてグループに基づいて行うことができる。公平なネゴシエーションの目的のためにグループがネゴシエーションしている任意の個人に対してより高い重みを、グループが持つ必要があり得る。
【００２５】
電化製品がカメラを使用する場合、その部屋にいる人々の数を検出することができ、その部屋の何人の人々が３Ｄメガネを着用しているように見えるかに基づいて、３Ｄのような機能を有効にする（enabled）又は無効にする（disabled）ことができる。３Ｄメガネを着用していない人々が、設定に対してより効果を持ち得るように、これは、単純に過半数を経由して又はたぶん重み付けた基準に基づくなどして行うことができる。
【００２６】
ある人々がその部屋にいて、しかし、電化製品に注目していない（not  paying  attention  to  the  appliance）ことを検出することもできる（読書している、寝ている、会話している）。これは、姿勢によって、及び視線追跡又はＩＲカメラによるパルス読取り又は他の方法を経由して実行することができ得る。その部屋にいる人々が注目していない場合、家電製品設定をネゴシエーションすることに関して何をするかのいくつかのオプションがある：
・注目していない人々は、彼らがまさにその部屋にいないように扱うことができる。
・彼らは注目していないので、彼らのプリファレンスは、重要ではない。
・注目していない人々は、「ゴースト」プロファイルとして扱うことができ、彼らが読書／会話できるようにボリュームなどのものに対してより低い設定を持つことができる。
・設定に対するネゴシエーションのスタイルは、注目しない１人以上の人がいるとき、変更することができる。
・注目しない人々は、半分注目している場合は、通常通り扱うことができる。
【００２７】
誰かが眠っていることが検出された場合、自動的に適用されるか又はネゴシエートされる特定の設定があるかもしれない。例えば、ボリューム上にセットする上限値（及び／又はボリュームが自動的に低くできる）、輝度が自動的に低くできる、色温度が青色の代わりに赤にシフトできる（高い色温度はメラトニンの生産を抑制し、眠りにつく能力や睡眠の質に影響を及ぼすことが知られている）。
【００２８】
設定ネゴシエーションに対する別の可能性は、ペアレンタルコントロール（parental  controls）である。ログインプロセスは、その部屋の人々の１人が子供かどうか判定し、自動的にペアレンタルコントロール設定を適用することができる。その部屋に大人しかいない場合、ペアレンタルコントロールは、自動的に無効にされるか、弱めることができる。その部屋に大人と子供がいる場合、ペアレンタルコントロールは、現在のチャンネルに対して誰が変更するかを検出することができ、例えば、大人のうちの1人が設定変更（例えば、チャンネル変更）する場合は、任意の設定変更が許され、しかし、子供のうちの1人が設定変更（例えば、チャンネル変更）しようと試みる場合は、設定変更（例えば、チャンネル変更）は許されない。これはまたは、プロファイルの中で定義される関係を持つ可能性を広げる。スティーブがキャシーに対して「親の」関係を持つ場合、キャシーがその部屋にいる間、ペアレンタルコントロールによってブロックされているかもしれないチャンネル／番組にチャンネルを彼が変更することを可能とすることができる。ビルがキャシーと「親の」関係を持たない場合、次に、ペアレンタルコントロールは、キャシーがその部屋にいる間に、好ましくないコンテンツに彼がチャンネルを変更することを防ぐことができる。
【００２９】
このような方法でネゴシエートされる可能性があるいくつかの設定の短い（網羅的でない）リストは：
・番組選択
・ボリュームレベル
・チャンネル
・３Ｄオン／オフ
・３Ｄデプス（depth：深度）
・字幕設定
■フォント
■色
■サイズ
■オン／オフ
・輝度
・コントラスト
・画像モード
・音声モード
・マルチサウンド出力
・ペアレンタルコントロール
・ＨＤＲオン／オフ
もちろん、ネゴシエートできる多くの、より多くの設定がある。
【００３０】
設定を適用する別の有益な方法は、状況認識（contextual  awareness）の形式を通してできる。センサ、マイクロフォン、及びカメラを使用して、設定は、家庭電化製品の付近で何が起こっているのかを理解することに基づいて、判定又はネゴシエートすることができる。ビデオ、赤外線、及び他のものを含む、異なるタイプのカメラを使用することができる。カメラは、赤外線画像、デプス（深度）検出、動き検出、及びビデオ録画を含む、様々な方法で使用することができる。カメラは、赤外線カメラ、静止カメラ、プレノプティックカメラ（plenoptic  cameras）及び／又は飛行時間カメラ（time-of-flight  cameras）も含むことができる。いくつかの例として、動き検出、温度検出、湿度検出、電力計、及び開／閉検出（例えば、ドア又はウィンドウが開いていることを検出する）を含み、多くの異なるセンサが今日の市場で入手可能である。
【００３１】
これらの及び他のデバイス並びにあるハードウェア又はソフトウェアを介して利用可能な入力の組み合わせを使用して、状況認識が実現することができ、サーモスタット又はセキュリティシステムなどの消費家電製品や家庭制御デバイスを制限なく含む、多くの異なる家庭電化製品の設定に適用することができる。観察することができることのいくつかの例は、その部屋にいる人の年齢（age）又は性別（gender）、その部屋にいる人々の現在の活動、又はその部屋の現在の周囲の環境であり得る。
【００３２】
マイクロフォン及びカメラを使用して、時間と共により正確に人の年齢及び性別を判定することができ、それらをデバイスの設定に適用することができる。この情報は、オンザフライで（on-the-fly）使用され又はプロファイルに保存され、この情報の決定における、より良い正確さを達成するために時間と共に更新することができる。特に、年齢は、ペアレンタルコントロールを含む、色々な方法で使用することができる。人の年齢がしきい値よりも低いと判定された場合、ペアレンタルコントロールは自動的に有効にされるか又は変更されることができる。性別の決定は、ビデオサービスによって提示されるリコメンデーション（recommendations）に影響を与えることができる。
【００３３】
性別及び年齢の認識は、手がかり（cues）として、体型、顔の毛及び化粧を使用することができる。声は、最も正確な手がかりの一つを提供することができ、声のピッチ（pitch）、抑揚（modulation）及び歯擦音（sibilance）のいずれもが性別及び年齢によって予想可能に変化する。カメラは、唇の動きをモニタすることによって声を人と関連付けることができる。すなわち、設定が調整されるデバイスは、第２デバイスから入力を受信することができる。第２デバイス（カメラ、センサなど）は、その領域にいる人々の物理的特徴を検出する。物理的特徴は、その領域に誰がいるのか判定するために調整されるデバイスによって使用される。その領域に誰がいるか一旦判定されると、次に、その情報は、その領域にいるそれらの人々に関するプロファイル情報を特定し、探すために使用される。この情報は、また、オンザフライで判定されるか、プロファイルに保存され、正確さを向上させるために更新される。その部屋の複数の人の存在が、人々の間での関係の判定を可能にする。関係の判定は、親・子、配偶者、友人、及び場合により他の関係に適用することができる。これの判定された関係は、ペアレンタルコントロール（例えば、他の人は、ペアレンタルコントロールを無効にできないが、自分の子どもたちに対して親はペアレンタルコントロールを無効にする（override）ことができる）又は設定のネゴシエートするようなことに使用することができる。すなわち、プロファイル情報は、物理的特徴、年齢、性別、好きなチーム、人々又はプロファイル間の関係を含む。プロファイル情報（データ）は、保存され、時間と共に更新される。プロファイルデータ（情報）の更新は、そのプロファイルの人によって実行することができる又は第２デバイスによって観察によって自動的に実行することができる。例えば、成長する子供（少年）は、顔ひげが発達し、又は人は、髪の毛が生え始める又は突然ハゲになる。ハゲ（hair  loss）は、老化の結果であり得、又は化学療法の結果としての突然の結果であり得る。調整されるデバイスは、第２デバイス（例えば、カメラ又は他のセンサ）から入力を受信することができる。第２デバイスは、例えば、その領域にいる子供を検出することができる。調整されるデバイスは、コンテンツを受信し、且つレンダリングするために使用され、次に、ペアレンタルコントロールは、自動的に起動される（invoked）。ペアレンタルコントロールは、親又は保護者又はその子供と所定の関係のある他の大人によってオーバーライドすることができる。
【００３４】
認識されるが、そのシステム上にアカウントを持っていない人々に対して、プロファイルを作成することができる。これらの「ゴースト」プロファイル（"ghost"  profiles）は、通常のプロファイル（normal  profile）と同様に、人は複数の機会（multiple  occasions）に渡って認識されるため、更新される可能性がある。この例は、この家を頻繁に訪れるが、システム上にアカウントを持つ必要が一度も無かった友人であり得る。この人は、最終的にシステム上にアカウントを作成し、システムは、彼らに関連する「ゴースト」プロファイルからの情報を使って新しいプロファイルを追加することができる。身長、性別、関係のような事柄は、ゴーストプロファイルに対してこれまでに決定されており、新しいプロファイルは、それらの情報のすべてを包含することができる。新しいプロファイルが作成されなかった場合、システムは、例えば、設定のネゴシエーション又は距離に基づく変更（distance  based  changes）などの事柄に対してその人に対して「ゴースト」プロファイルを使用することができる。
【００３５】
動きセンサ、ビデオカメラ、温度カメラ、及び赤外線カメラ、並びにマイクロフォンからのオーディオの組み合わせは、その部屋にいる人々の現在の活動に関する多くの手掛かり（clues：ヒント）を与えることができる。赤外線カメラは、心拍を検出するために使用することができ、温度カメラは、体温を検出するために使用することができ、そして、マイクロフォン、ビデオカメラ、動きセンサのデータは、協力して、その人が運動している、又はダンスしている、又は歌っているのかを判定するために使用でき、その活動に従って家庭電化製品を変更することができる。人が歌っている又はダンスしていると検出された場合、音を提供している家庭電化製品のボリュームは、上げられ又は下げられ又はデバイスに対するイコライザは、カラオケをシミュレートするためにボーカルの周波数帯域を減少するように修正することができる。その人が運動していると判定された場合、心拍及び体温又は運動プログラムの進行を監視するために、センサからのデータは、デバイス又はアプリケーションに対して適用することができる。平常と比較して高い体温又は低い体温の検出は、また、サーモスタットを変更するために、又は可能であれば、彼らが熱を出すかも知れないなどをその人に通知することにさえ使用することができる。
【００３６】
カメラは、着ている服を含む、ウェアラブルからの手掛かり、又は可能であれば、体上に着用した電子デバイスからのセンサからの手掛かりを検出するために使用することができる。これらの手掛かりは、その人がスポーツジャージを着ていることを判定するために使用することができ、スポーツ観戦モードに関連する設定に適用することができる。ウェアラブルは、スポーツジャージだけを含むのではない。スポーツチームのロゴが付いている衣服（apparel）（ウェアラブル）は、ここで、衣服は、ハット、キャップ、ジャージ、シャツ、スエットシャツ、ジャケット、スポーツ、パンツ、アスレチックパンツ、スエットパンツ、靴などを含み、ここで、スポーツチームのロゴは、プロのスポーツチームのロゴ、大学のスポーツチームのロゴ又は国際的な（例えば、オリンピック）スポーツチームロゴであり得、さらに、ここで、スポーツチームのロゴは、フットボール、ベースボース、バスケットボール、サッカー、ホッケー、スキー、スノーボード、水泳、ダイビング、バレーボールなどを含んでも良い。手掛かりは、人が３Ｄメガネを着用しているか否かを判定し、自動的に３Ｄ表示モードに切り替えることができる。手掛かりは、また、人がスマートウオッチ／アクティビティバンドを着用し、又はスマートフォン又はタブレットを保持し、且つアプリケーションへデータのアップロード又は見ている現在の番組に関する情報のダウンロードをトリガーすることを判定することもできる。
【００３７】
赤外線カメラは、その場所からの人の距離を判定するために使用することができる。人のデバイスからの距離に依存してテレビジョン上の字幕のサイズを拡大したり又は縮小したりするため、又は第３デバイスの暖房設定又は冷房設定を調整するために、これを使用することができる。デプス情報は、また、その部屋での人の位置に依存して家庭電化製品のボリュームを増加したり又は減少したりするために使用することができる。人がその部屋のどこにいるかに依存してより効率的に暖房／冷房を管理するためにサーモスタットの動作を変更するために、この情報を使用することもできる。
【００３８】
種々のカメラはその部屋での照明を検出するために使用することができ、現在の照明からの手掛かりは、家庭電化製品の輝度／コントラスト、又はビデオモードなどの事項を修正するために使用することができる。照明の手掛かりは、また、そのユーザによる設定プリファレンスに基づいて、その部屋の現在の照明に基づいて外部からの光を取り入れ／遮断するように電子ブラインドを動作させるために使用することができる。反対に、その部屋の照明の一貫性のあるレベルを維持するために、その部屋の照明は、外部から入る光に依存して明るくしたり、又は暗くしたりされる。
【００３９】
いくつかの例となるシナリオ
提案される方法及び装置の方法及び装置を使用する可能性のあるシナリオのいくつかの例：
１）「夫婦のうちの１人が眠りたいと思い、もう１人がＴＶを見たいと思う」という状況において、ＴＶは、１人の人が眠ろうとすることを判定する人認識技法（person  recognition  techniques）を使用することができる。カメラ又は光センサは、寝室の光が消えていると判定することができる。時刻も同様に考慮することができる。このようなコンフリクトが検出されたとき、ＴＶは、コントラストを落とし、ボリュームを制限するように作動する。一旦、状況が検出されると、ＴＶが消されるまでそのモードが作動されたままになる。
２）「何人かは話をしたいと思い、他の人はゲームに集中したいと思うスポーツパーティー」がある状況において、その番組が、スポーツイベントであり、その部屋に多くの人がおり、会話レベルが高いと、ＴＶは認識することができる。コンフリクトが検出されたとき、ＴＶは、字幕を作動させる。一旦、この状況が検出されると、モードは、イベントが終わるまで作動されたままとなる。加えて、字幕が映像の下に置かれることを許すように映像は縮めることができるので、ボールを見えなくする機会はない。
３）その部屋にいる人々が「異なるコマーシャルプリファレンス」を有する状況において、顔認識、又は彼らの年齢や性別を確定することを試みることを介して、その部屋にいる個人をＴＶは認識することができる。的を絞った広告（targeted  advertising）は、次に、すべての人にアピールできる広告を好み、その部屋の任意の居住者に対して不適切であり得る広告を嫌うことができる。
４）「１人の人が暑く、他の人が寒い」という状況において、サーモスタットは、現在の暖房／冷房のゾーンを調整する必要がある。しかし、そのゾーンに異なる好みの温度を持つ二人の人がいる場合、二人ともが幾分快適になるために、２つの好ましい温度の間の所定のカーブに基づいて、温度設定を調整することができる。
５）番組選択の場合、電化製品（例えば、ＴＶ）は、その部屋にいる人に基づいて番組を自動的に選択するように構成することができる。
６）複数のサウンド出力の場合、電化製品（例えば、ＴＶ）のユーザがそれぞれ、その電化製品に差し込んだヘッドフォンを有する場合、次に、設定は、どのヘッドフォンを誰が使っているかに依存し、且つ、各ヘッドフォンユーザのプリファレンスに依存して、ヘッドフォンの各セットに対して設定は異なることができる。
【００４０】
ネゴシエートされた設定が作動されたとき、視聴者に通知することは有利である。これによって、視聴者に彼のテレビジョンが誤って作動していると思うことを防ぎ、機能（feature）の存在を彼に気付かせる。通知は、一時的に表示されるテキスト又はアイコンの形式であり得る。テキスト又はアイコンは、一時的に表示することができ、又はテキスト又はアイコンは、モードの継続期間に対して表示することもできる。
【００４１】
また、ユーザと一緒に設定を旅行させることも可能である。スティーブがフットボールのゲームを見るためにビルの家に行き、可能であればＵＳＢキー上でそれらを持ち運ぶような手動の手段を介して、又はスティーブに対してアカウントを作成し、彼の設定を彼のスマートフォンから又はサーバーからインポートすることを介して、又は、さらに可能であれば、スティーブの任意の種類の認識を介して、可能であればソーシャルメディアアカウントと協働して（スティーブとビルがフェースブック（登録商標）の友人であるので、スティーブの設定は、彼のフェースブックのアカウントからビルのフェースブックのアカウントへ行き、ビルのＴＶへ行く）、ビルのＴＶは、スティーブの設定を理解できる可能性がある。スティーブの設定は、一度だけインポートされる（ダウンロードされる）必要があるかも知れない。
【００４２】
もちろん、種々の視聴環境と共に、スティーブは、輝度のようなある項目に対して彼の標準の設定を使用したいと思わない可能性があり、又はスティーブは、ビルの環境において何が好きかに合わせて彼の通常の設定を微調整し、それらをスティーブがビルの家にいるときはいつでもその方法で保存できる可能性がある。設定は、電化製品に、又はクラウド中のどこかに、又はスティーブのスマートフォンに、又はフェースブックに又は任意の他のソーシャルメディアアカウントにでもローカルに保存することができる。
【００４３】
ＴＶがスティーブの設定プリファレンス及びビルの設定プリファレンスの両方にアクセスできるとき、スティーブの設定、ビルの設定、又は混合した設定（a  blended  setting）のいずれを使用するのかを尋ねるメニューを表示することができる。混合した設定は、ビルとスティーブによって手動で構成することができ又は各ユーザの設定を混合することによって自動的に構成することができる。例えば、ビルは輝度を５０に設定し、スティーブは輝度を７０に設定する場合、自動的な混合設定は、輝度を６０に設定することができる。混合設定を作成できない場合は、自動的に構成される混合は、「自宅（home）」ユーザをデフォルトに設定する−スティーブがビルの家に行ったので、この場合はビルとなる。ビルとスティーブが彼らの混合設定を手動で構成すると決定した場合、各構成可能な設定を表示し、「ビルの設定」、「スティーブの設定」又は手動構成をすぐに選択することをビルとスティーブに可能にするユーザインタフェースがあり得る。
【００４４】
図１は、提案される方法及び装置の原理に従ったデバイスの例となる自動設定ネゴシエーションスキーム（automatic  settings  negotiation  scheme）のフローチャートである。自動設定ネゴシエーションは、特定のデバイスに対して固有である。例えば、サーモスタット（thermostat）に対する自動設定は、ＴＶに対する自動設定と同じではないであろう。１０５において、ユーザがデバイスにログインしたか否かの判定が行われる。デバイス自身に付属された又は関連するキーパッド、リモートコントロールデバイス、スマートフォン、コンピュータ、ラップトップ、タブレット、ｉＰａｄ（登録商標）、ｉＰｏｄ（登録商標）、ｉＰｈｏｎｅ（登録商標）、オーディオＩＤ、ビデオＩＤ、指紋若しくは虹彩のスキャンを含むバイオメトリックデータを用いてユーザはログインすることができる。すなわち、自動設定ネゴシエーションを実行するように構成されるデバイスは、オーディオ入力を受入れ（受信し）、カメラを使用するビデオ入力又は音声認識を実行するように装備することができる。バイオもトリックデータ又はリモートコントロール、スマートフォン、タブレット、ラップトップ、コンピュータ、ｉＰｏｄ、ｉＰａｄ、ｉＰｈｏｎｅなどからの有線若しくは無線のログインを受入れ（受信）できるように、デバイスは装備することができる。１１０において、デバイスが自動的にネゴシエートし、且つ設定を調整するように構成されているか否かを判定する。もう一度、ネゴシエートし、調整するように構成される又は構成された設定は、デバイスによって異なる。１１５において、何の設定が自動的にネゴシエートし、調整するように構成されたかに関する判定が行われる。ある設定が自動的にネゴシエートされ、調整されることができるというだけでは、自動的にネゴシエートされ、調整されることが可能なすべての設定が、自動的にネゴシエートされ、調整される（変更される）ように構成されていることを意味しない。例えば、画像（スクリーンサイズ又はアスペクト比）を調整することが可能であるという理由だけでは、特定の設定が自動的にネゴシエートされ、調整されるように構成されていることを意味しない。１２０において、誰がその部屋にいるかに関して判定される。この判定は、どの設定を使用するか、及び自動設定ネゴシエーション及び調整が必要であるか否かに影響を与える。その部屋にいる人々の活動に関する現時点での判定も行われる。例えば、ＴＶを見ている、ＴＶ又はステレオシステムを聞いている、読書している、寝ているなど。場合によっては、その部屋にいる人たちの活動は、いくつかのデバイスの自動設定ネゴシエーションに影響を及ぼす又は影響を及ぼす可能性がある。例えば、その部屋にいる人々の何人かが寝ている場合、そのことは、サーモスタットの温度設定及びＴＶ又はステレオのボリュームの両方に影響を及ぼすだろう。１２５において、どの設定ネゴシエーション方法が使用されるかに関して判定が行われる。例えば、線形の組み合わせ、重み付け組み合わせ、所定のカーブ、ドミナント／リセッシブ・アプローチ（方法、スキーム）、優先順位スキーム、過半数スキーム、最低値スキーム又は競争又は上述のスキームのいくつかの組み合わせを使用できる可能性が���る。一旦、どの設定ネゴシエーション方法が使用されるかについて判定が行われると、次に、設定調整を判定するためにネゴシエーション方法が実行される（行われる）。最後に１３０において、デバイス設定調整は、デバイスによって行われる。
【００４５】
図２は、提案される方法及び装置の原理に従った例となるデバイス構成スキームのフローチャートである。２０５において、ユーザ（デバイスの所有者）は、デバイスにログイン（ログオン）する。デバイス構成は、特定のデバイスに固有である。例えば、サーモスタットに対するデバイス構成は、ＴＶに対するデバイス構成と同じではないだろう。デバイス自身のキーパッド、リモートコントロールデバイス、スマートフォン、コンピュータ、ラップトップ、タブレット、ｉＰａｄ、ｉＰｏｄ、ｉＰｈｏｎｅ、オーディオＩＤ、ビデオＩＤ、指紋又は虹彩スキャンを含むバイオメトリックデータを用いて、ユーザはログインすることができる。すなわち、オーディオ入力によるユーザログインを受入れ（受信し）、カメラを使用したビデオ入力又は音声認識を実行するように装備することができる。バイオメトリックデータ又はリモートコントロール、スマートフォン、タブレット、ラップトップ、コンピュータ、ｉＰｏｄ、ｉＰａｄ、ｉＰｈｏｎｅなどからの有線若しくは無線のログインを受入れる（受信する）ように、デバイスを装備することができる。２１０において、時刻、周囲の照明、ノイズレベル、その部屋に誰がいるか、その部屋にいる人々の活動、及び関連するパラメータに基づいて、デバイス設定は構成される。各個別のデバイスは、異なるパラメータ又はパラメータの異なるサブセットを使用することができる。構成は、上述の手段のいずれかであり得、そして、ＵＳＢ（フラッシュ、サム）ドライブ又はメモリカードを使用して構成を遂行することができる。このことは、ゲストユーザに対して特に有効である。ユーザ又はゲストユーザは、ゲストユーザの設定が保存されるか否かに関して指示される（prompted）ことができる。ゲストユーザが、たびたび訪問する人である場合、その後、このことは、有用であり得る。２１５において、どの設定が自動的にネゴシエートされ、調整されるかに関して、デバイスは構成される。ある設定が自動的にネゴシエートされ、調整されることができるというだけでは、自動的にネゴシエートされ、調整されることが可能なすべての設定が、自動的にネゴシエートされ、調整される（変更される）ように構成されることを意味しない。例えば、画像（スクリーンサイズ又はアスペクト比）を調整できるという理由だけでは、特定の設定が自動的にネゴシエートできて、調整できるように構成されていることを意味しない。２２０において、ユーザは、どの設定がどのネゴシエーションスキームを使用するかに関してデバイスを構成する。例えば、線形の組み合わせ、重み付けた組み合わせ、所定のカーブ、ドミナント／リセッシブ・アプローチ（方法、スキーム）、優先順位スキーム、過半数スキーム、最低値スキーム又は競争又は上述のスキームのいくつかの組み合わせを使用することが可能である。
【００４６】
図３は、提案される方法及び装置の原理に従って実例となるデバイスの動作の概略図である。その設定の一部又はすべてを自動的に調整する（変更する）ようにデバイスを構成する（又は再構成する）ために、ユーザ（デバイスの所有者）はデバイスにログインする。ログインモジュールと双方向通信をする通信インタフェースモジュールを介して、ユーザはログインする。デバイス構成は、特定のデバイスに固有である。例えば、サーモスタットに対するデバイスの構成は、ＴＶに対するデバイス構成と同じではないであろう。デバイス自身に取り付けられた又は関連するキーパッド、リモートコントロールデバイス、スマートフォン、コンピュータ、ラップトップ、タブレット、ｉＰａｄ、ｉＰｏｄ、ｉＰｈｏｎｅ、オーディオＩＤ、ビデオＩＤ、指紋又は虹彩スキャンを含むバイオメトリックデータの手段によって、ユーザはログインすることができる。すなわち、デバイスは、オーディオ入力と音声認識の実行により、又はカメラを使用したビデオ入力によって、ユーザログインを受け入れる（受信する）ように装備することができる。デバイスは、バイオメトリックデータ、又はリモートコントロール、スマートフォン、タブレット、ラップトップ、コンピュータ、ｉＰｏｄ、ｉＰａｄ、ｉＰｈｏｎｅなどからの有線又はワイヤレスログインを受け入れる（受信する）ように装備することができる。一旦、ユーザがデイバスにログインすると、ユーザが自動的に調整する（変更する）ように望む設定に関して、ユーザはデバイスへの入力を提供することができる。ユーザの入力は、通信インタフェースモジュールを介して構成設定モジュールへ対話式で提供される。通信インタフェースモジュールは、構成設定モジュールと双方向で通信する。これは、ボイスコマンド又はメニュー又はデバイスによる他のプロンプトであっても良い。デバイス自身に取り付けられた又は関連するキーパッド、リモートコントロールデバイス、スマートフォン、コンピュータ、ラップトップ、タブレット、ｉＰａｄ、ｉＰｏｄ、ｉＰｈｏｎｅ又はデバイス自身に取り付けられた又は関連するキーパッドを使用して、ユーザ入力を提供することができる。一旦、ユーザが、自動的に調整する（変更する）べき設定を構成した場合、ユーザは、設定を自動的に調整する（変更する）ために使用するネゴシエーションスキームを構成する。ユーザとのすべての通信は、上述の任意の手段によって行うことができる点に留意すべきである。ユーザは、通信インタフェースモジュールを介して構成ネゴシエーションスキームと通信する。通信インタフェースモジュールは、構成ネゴシエーションスキームモジュールと双方向で通信する。ネゴシエーションスキーム構成は、設定構成後に行うことができ、又は設定構成と共に行うことができる点にも留意すべきである。すなわち、ユーザは、自動的に調整される（変更される）設定を指定し、次に、自動的に調整する（変更する）ために使用されるネゴシエーションスキームを指定し、次に、自動的に調整される別の設定を指定することができる。構成される設定及びネゴシエーションスキームの両方は、メモリ（ストレージ）に記憶される。構成プロセスは、その人のプリファレンスが考慮される他のユーザを指定することもできる。これは、デバイスの所有者（ユーザ）によって又はその人のプリファレンスが考慮される他の個人によって遂行することができる。デバイスが、自動的に調整される（変更される）設定に関して既に構成されており、且つユーザが再びログインした場合、それらの以前に構成された設定又はネゴシエーションスキームのいずれかを、ユーザは更新することができる。構成は、上述の任意の手段であり得、ＵＳＢ（フラッシュ、サム）ドライブ又はメモリカードを使用して遂行することもできる。このことは、ゲストユーザに対して特に有効である。ユーザ又はゲストユーザは、ゲストユーザの設定が保存されるか否かに関して入力を促されることができる。ゲストユーザがたびたび訪れる人である場合、その結果、このことは有用であるだろう。
【００４７】
自動的に調整する（変更する）ような設定に対してデバイスが既に構成されており、ユーザが再びログインする場合、ユーザは、デバイスが自動的に設定を調整して欲しいと思うことができる。ユーザは、構成される自動設定調整に関する自身のプリファレンスを有するデバイス所有者又は任意の他の個人であり得る。自身のプリファレンスを有する各ユーザは、自動的に調整される（変更される）設定の異なるサブセットを構成したことがある点に留意すべきである。１人以上のユーザに対しては又は場合によっては、ペアレンタルコントロールなどのある設定は重要とはならず、子供のユーザは、そのような設定を変更する又は無効にすることは許可されないかも知れない。設定判定モジュールは、どの設定（もしあれば）、が自動的に調整される（変更される）ように構成されるのかを判定する。設定判定モジュールは、上述の構成プロセスからのデータを保持するメモリ（ストレージ）にアクセスすることによってこれを遂行する。設定判定モジュールは、次にこの情報（データ）を存在判定モジュールに渡し、存在判定モジュールは、その部屋に誰がいるのかを判定する。ログインした１人のユーザしか存在しない場合は、設定調整ネゴシエーションの必要がない。その部屋に複数の人間がいる場合、次に、デバイスは、誰がいるのか、及びその部屋にいる人間のうちの誰がプリファレンスを構成させたのかを判定しようとする。これは、設定構成及びネゴシエーションスキーム情報が記憶される（保存される）メモリ（ストレージ）にアクセスすることによって遂行される。存在判定モジュールは、この情報（データ）をネゴシエーションスキーム判定モジュールに渡し、ネゴシエーションスキーム判定モジュールは、その部屋にいる数人のユーザに対する設定プリファレンス間の相違を解決するためにどのネゴシエーションスキームを使用するかを判定する。ネゴシエーションスキーム判定モジュールは、構成情報（データ）が記憶されている（保存されている）メモリ（ストレージ）にアクセスすることによってこれを遂行する。ネゴシエーションスキーム判定モジュールは、この情報（データ）を、実際に設定調整を判定する実行ネゴシエーションスキームモジュールへ渡す。設定調整は、設定調整（変更）を実際に行う調整設定モジュールへ転送され又は通信中に通信インタフェースモジュールを介して第３デバイスへ変更が転送される。通信インタフェースモジュールは、第２デバイス又はユーザから入力を受入れる（受信する）ことができる。通信モジュールは、受信した任意の入力を、ログインモジュール又は構成設定モジュール又は構成ネゴシエーションスキームモジュール又はプロファイルモジュール又は存在判定モジュールへ転送する。存在判定モジュールは、通信インタフェースモジュールを介して第２デバイスから入力も受信する。第２デバイスは、センサ又はカメラなどを含むことができる。存在判定モジュールは、任意の活動が発生しているか及び何の活動かも判定する。存在判定モジュールは、また、通信インタフェースモジュールを介して受信された第２デバイスからの入力に基づいて、その領域にいる人々の間の距離を判定し、また、そのデバイスからの人々の距離も判定する。通信インタフェースモジュールは、存在判定モジュールと同様にネゴシエーションスキーム判定モジュールとインタフェースできる。ネゴシエーションスキーム判定モジュールは、第２デバイスからの入力に応答し、ユーザによって指定された、以前にメモリ（ストレージ）に記憶された（保存された）設定プリファレンスに従って、デバイス設定を調整する。通信インタフェースモジュールは、第３デバイスに入力を送信もすることができる。通信インタフェースモジュールは、調整設定モジュールが通信中に調整設定モジュールから第３デバイスに対する変更を受信する。この入力は、第３デバイスの設定を変更するために使用することができる。第３デバイスは、センサ、カメラ、モノのインターネット（ＩｏＴ）デバイス、照明、サーモスタット又は任意の他の制御可能な家庭電化製品などを含むことができる。プロファイルモジュールは、メモリと双方向通信する。プロファイルモジュールは、通常のプロファイル及びゴーストプロファイルの双方の−プロファイルを作成し、更新する。通常のプロファイルは、ログインしたユーザに対して作成される。プロファイルモジュールは、通信中の通信インタフェースモジュールを介して入力を受信する。プロファイルモジュールは、ゴーストプロファイルから通常のプロファイルも生成する。プロファイルモジュールは、プロファイル間の関係も判定する。プロファイルは、メモリに記憶される。
【００４８】
図３に描写されたモジュールは、例であり、１つ以上のプロセッサ上で実行されるソフトウェア中にあり得、１つ以上のプロセッサのいくつかは、特定用途向け集積回路（ＡＳＩＣｓ）、縮小命令セットコンピュータ（ＲＩＳＣｓ）、フィールドプログラマブルゲートアレイ（ＦＰＧＡｓ）など又は均等物であり得る。図３に描写された例となるモジュールは、設計に悪影響なく数を増やしたり、減らしたりすることができる。
【００４９】
提案される方法及び装置は、ハードウェア、ソフトウェア、ファームウェア、専用プロセッサ、又はそれらの組み合わせの様々な形式で実装することができることを理解されるべきである。専用プロセッサは、特定用途向け集積回路（ＡＳＩＣｓ）、縮小命令セットコンピュータ（ＲＩＳＣｓ）及び／又はフィールドプログラマブルゲートアレイ（ＦＰＧＡｓ）を含むことができる。望ましくは、提案される方法及び装置は、ハードウェア及びソフトウェアの組み合わせとして実装される。その上、ソフトウェアは、望ましくは、プログラムストレージデバイス上に有体的に具体化されるアプリケーションプログラムとして実装される。アプリケーションプログラムは、任意の適切なアーキテクチャを備えたマシンに対してアップロードされ、マシンによって実行することができる。望ましくは、１つ以上の中央処理ユニット（ＣＰＵ）、ランダムアクセスメモリ（ＲＡＭ）、及び入力／出力（Ｉ／Ｏ）インタフェースなどのハードウェアを有するコンピュータプラットフォーム上にマシンは実装される。コンピュータプラットフォームは、オペレーティングシステムとマイクロ命令コードも含む。本明細書で説明された様々なプロセス及び機能は、マイクロ命令コードの一部又はアプリケーションプログラム（又はそれらの組み合わせ）の一部のいずれかであり得、それは、オペレーティングシステムを経由して実行される。加えて、追加のデータストレージデバイスやプリンティングデバイスなどの様々な他の周辺デバイスがコンピュータプラットフォームに接続することができる。
【００５０】
図に示された要素は、ハードウェア、ソフトウェア又はそれらの組み合わせの様々な形式で実装することができることを理解されたい。望ましくは、これらの要素は、プロセッサ、メモリ及び入力／出力インタフェースを含むことができる、１つ以上の適切なプログラムされた汎用デバイス上でハードウェア及びソフトウェアの組み合わせとして実装される。ここで、表現「結合された（coupled）」は、１つ以上の中間コンポーネントを介して直接に接続又は間接的に接続されていることを意味すると定義する。そのような中間コンポーネントは、ハードウェア及びソフトウェアベースのコンポーネントの両方を含むことができる。
【００５１】
添付図面に描写された構成システムコンポーネント及び方法ステップは、望ましくは、ソフトウェアとして実装され、システムコンポーネント（又はプロセスステップ）間の実際の接続は、提案される方法及び装置がプログラムされる方法に依存して異なり得ることが、さらに理解されるできである。
【００５２】
本明細書での教示を前提として、当業者であれば、提案された方法及び装置のこれらの及び類似の実装又は構成を考えることができる。
【図１】
2018530186.tif 000003
【図２】
2018530186.tif 000004
【図３】
2018530186.tif 000005
【手続補正書】
【提出日】平成30年5月8日(2018.5.8)
【手続補正１】
【補正対象書類名】特許請求の範囲
【補正対象項目名】全文
【補正方法】変更
【補正の内容】
【特許請求の範囲】
【請求項１】
方法であって、
領域にいる少なくとも２人の人々の物理的特徴を検出する、センサからの入力を受信すること（１２０）と、
前記領域にいる前記少なくとも２人の人々の前記物理的特徴に基づいて前記領域における存在を検出することと、
前記領域にいる前記少なくとも２人の人々のプロファイル情報を読み出すことであって、前記プロファイル情報は、物理的特徴、年齢、性別、好きなチーム及び前記少なくとも２人の人々の間の関係のうちの少なくとも１つの情報を含む、プロファイル情報を読み出すことと、
前記領域における前記少なくとも２人の人々の間の関係を判定することであって、前記少なくとも２人の人々は、彼らのそれぞれのプロファイルによって表現される、関係を判定することと、
少なくとも１つの好ましい設定は、前記領域にいる前記少なくとも２人の人々の間の前記判定された関係に応答して、適用されるか否かを判定すること（１２５）と、
前記第２の判定に応答して、第１のデバイスの設定を調整すること（１３０）と、
を含む、方法。
【請求項２】
前記領域にいる前記少なくとも２人の人々の間の距離を判定することと、
前記領域における前記少なくとも２人の人々の間の前記距離に応答して前記第１のデバイスの前記設定を調整することと、
をさらに含む、請求項１に記載の方法。
【請求項３】
前記第１のデバイス又は第２のデバイスから前記少なくとも２人の人々の距離を判定することと、
前記領域中の前記第１のデバイス又は前記第２のデバイスからの少なくとも２人の人々の前記距離に応答して、前記第１のデバイスの前記設定を調整することと、
をさらに含む、請求項１に記載の方法。
【請求項４】
前記領域にいる前記少なくとも２人の人々の間の距離を判定することと、
前記領域にいる前記少なくとも２人の人々の間の前記距離に応答して、前記第１のデバイスの前記設定を調整することであって、前記少なくとも２人の人々の間の前記距離は、前記領域にいる３人以上の人々の間の平均距離である、調整することと、
をさらに含む、請求項１に記載の方法。
【請求項５】
前記第２のデバイスが、また、前記領域における照明の状態を検出し、前記照明の状態に応答して前記設定を調整する、請求項１に記載の方法。
【請求項６】
前記第１のデバイス上の字幕を修正すること、又は前記第１のデバイスのボリュームを調整すること、又は暖房若しくは冷房の設定を調整することを、前記設定を調整することが含む、請求項１に記載の方法。
【請求項７】
前記領域の前記少なくとも２人の人々のうちの少なくとも１人の物理的特徴の一致が、前記第１のデバイスに対するプロファイルの組の中に無い人又は前記第１のデバイスに注目していない人に対して、前記領域にいる前記少なくとも２人の人々の前記少なくとも１人に対してゴーストプロファイルを作成することを、さらに含む、請求項１に記載の方法。
【請求項８】
前記領域にいる前記少なくとも２人の人々によって行われる活動のタイプを判定することであって、前記活動は、歌うこと、踊ること及び運動することのうち１つを含む、請求項１に記載の方法。
【請求項９】
前記領域の前記少なくとも２人の人々の少なくとも１人の物理的特徴の一致が、前記第１のデバイスに対するプロファイルの組に無い人、又は前記第１のデバイスに注目していない人に対して、前記領域にいる前記少なくとも２人の人々の前記少なくとも１人に対してゴーストプロファイルを、前記プロセッサが作成することを、さらに含む、請求項１に記載の方法。
【請求項１０】
認識に応じて、前記ゴーストプロファイルを前記プロセッサが更新することを、さらに含む、請求項９に記載の方法。
【請求項１１】
入力として受信した前記物理的特徴を含む前記ゴーストプロファイルから前記プロセッサがプロファイルを作成することを、さらに含む請求項９に記載の方法。
【請求項１２】
前記装置が、消費電化デバイスである、請求項１に記載の方法。
【請求項１３】
前記消費電化デバイスが、家庭電化製品である、請求項１２に記載の方法。
【請求項１４】
前記家庭電化製品が、テレビジョン、セットトップボックス及びオーディオ・ビデオレシーバのうちの１つである、請求項１３に記載の方法。
【請求項１５】
装置であって、
センサから入力を受信する通信インタフェースであって、前記センサは、領域にいる少なくとも２人の人々の物理的特徴を検出する、通信インタフェースと、
プロセッサと、
を備え、
前記プロセッサは、
前記領域の前記少なくとも２人の人々の前記物理的特徴に基づいて前記領域における存在を判定し、
前記領域の前記少なくとも２人の人々のプロファイル情報を読み取り、前記プロセッサは、前記通信インタフェースと通信し、前記プロファイル情報は、物理的特徴、年齢、性別、好きなチーム及び前記少なくとも２人の人々の間の関係のうちの少なくとも１つを含み、
前記領域の前記少なくとも２人の人々の間の関係を判定し、前記判定された関係をストレージモジュールに記憶し、前記少なくとも２人の人々は、彼らのそれぞれのプロファイルによって表現され、
前記領域にいる前記少なくとも２人の人々の間の前記判定された関係に応答して、少なくとも１つの好ましい設定が適応されるか否かを判定し、
前記第２の判定に応答して第１のデバイスの設定を調整する、
装置。
【請求項１６】
前記領域にいる前記少なくとも２人の人々によって行われる活動のタイプを前記プロセッサが判定することであって、前記活動が歌うこと、踊ること及び運動することのうち１つを含む、判定することをさらに含む、請求項１５に記載の装置。
【請求項１７】
前記領域にいる前記少なくとも２人の人々の間の距離を前記プロセッサが判定することと、
前記領域の前記少なくとも２人の人々の間の前記距離に応答して、前記第１のデバイスの前記設定を前記プロセッサが調整することであって、前記プロセッサは、前記通信インタフェースモジュールと通信し、前記少なくとも２人の人々の間の前記距離は、前記領域の３人以上の人々の間の平均距離である、
請求項１５に記載の装置。
【請求項１８】
前記第１のデバイス又は第２のデバイスから前記少なくとも２人の人々の間の距離を、前記プロセッサが判定することと、
前記領域の前記第１のデバイス又は前記第２のデバイスから前記少なくとも２人の人々の間の前記距離に応答して、前記第１のデバイスの前記設定を、前記プロセッサが調整することであって、前記プロセッサは、前記通信インタフェースモジュールと通信する、
をさらに含む、請求項１５に記載の装置。
【請求項１９】
前記第２のデバイスは、また、前記領域の照明の状態を検出し、前記照明の状態に応答して、前記設定を調整する、請求項１５に記載の装置。
【請求項２０】
前記設定を調整することは、前記第１のデバイス上の字幕を修正する、又は前記第１のデバイスのボリュームを調整する、又は暖房若しくは冷房の設定を調整することを含む、請求項１５に記載の装置。
【請求項２１】
前記領域の前記少なくとも２人の人々の少なくとも１人の物理的特徴の一致が、前記第１のデバイスに対するプロファイルの組の中に無い、又は前記第１のデバイスに注目していない人に対して、前記領域にいる前記少なくとも２人の人々の前記少なくとも１人に対してゴーストプロファイルを前記プロセッサが作成することを、さらに含む、請求項１５に記載の装置。
【請求項２２】
前記プロセッサが、認識に応じて前記ゴーストプロファイルを更新することを、さらに含む、請求項２１に記載の装置。
【請求項２３】
入力として受信された前記物理的特徴を含む前記ゴーストプロファイルから前記プロセッサがプロファイルを作成することをさらに含む、請求項２１に記載の装置。
【請求項２４】
前記装置が、消費電化デバイスである、請求項１５に記載の装置。
【請求項２５】
前記消費電化デバイスが、家庭電化製品である、請求項２４に記載のデバイス。
【請求項２６】
前記家庭電化製品が、テレビジョン、セットトップボックス、及びオーディオ・ビデオレシーバのうちの１つである、請求項２５に記載のデバイス。
【手続補正２】
【補正対象書類名】明細書
【補正対象項目名】００５２
【補正方法】変更
【補正の内容】
【００５２】
本明細書での教示を前提として、当業者であれば、提案された方法及び装置のこれらの及び類似の実装又は構成を考えることができる。
ここで例としていくつかの付記を記載する。
（付記１）
第１デバイスに対してプロファイル情報を判定するための方法であって、
第２デバイスから入力を受信することであって、前記第１デバイス又は前記第２デバイスのうちの少なくとも１つは、領域にいる人々の物理的特徴を検出し、前記物理的特徴は、前記領域にいるユーザを判定するために前記デバイスによって使用される、受信することと、
前記領域にいる前記人々のプロファイル情報を読み出すことと、
前記領域にいる前記人々のプロファイル間の関係を判定することと、
前記領域にいる前記人々のプロファイル間の前記関係に応答してデバイス設定に関するコンプロマイズを判定するためにルールを適用することと、
前記コンプロマイズに応答して第１デバイス又は第３デバイスの設定を調整することと、
を含む、方法。
（付記２）
第１デバイスに対してプロファイル情報を判定する方法であって、
第２デバイスから入力を受信することであって、前記第１デバイス又は前記第２デバイスのうちの少なくとも１つは、領域にいる人々の物理的特徴を検出し、前記物理的特徴は、前記領域にいるユーザを判定するために前記デバイスによって使用される、受信することと、
前記領域にいる前記人々のプロファイル情報を読み出すことと、
プロファイル間の関係を判定することと、
を含む、方法。
（付記３）
前記領域にいる人々によって行われている活動の種類を判定することをさらに含む、付記２に記載の方法。
（付記４）
前記活動は、歌うこと、踊ること又は運動することである、付記３に記載の方法。
（付記５）
前記領域にいる人々の間の距離を判定することと、
前記領域にいる人々の間の前記距離に応答して第１デバイス又は第３デバイスの設定を調整することと、
を、さらに含む付記２に記載の方法。
（付記６）
人々の間の前記距離は、前記領域の人々の間の平均距離である、付記５に記載の方法。
（付記７）
前記設定調整は、前記第１デバイス上の字幕を修正すること又は前記第１デバイスのボリュームを調整すること又は前記第３デバイスの暖房若しくは冷房の設定又はボリューム設定を調整することを、含む付記５に記載の方法。
（付記８）
前記第１デバイス又は前記第２デバイスからの人々の距離を判定することと、前記領域の前記第１デバイス又は前記第２デバイスからの人々の前記距離に応答して、第１デバイス又は第３デバイスの設定を調整することと、をさらに含む、付記２に記載の方法。
（付記９）
前記設定調整は、前記第１デバイス上の字幕を修正すること又は前記第１デバイスのボリュームを調整すること又は前記第３デバイスの暖房若しくは冷房の設定を調整することを含む、付記８に記載の方法。
（付記１０）
前記第２デバイスは、また、前記領域の照明の状態を検出し、第３デバイスの設定を調整する、付記２に記載の方法。
（付記１１）
前記第１デバイスに知られていない前記領域にいる人々に対して、又は前記第１デバイスによって認識されているが前記第１デバイス上にプロファイルを持たない前記領域にいる人々に対して、又は前記第１デバイスに注目していない前記領域にいる人々に対して、ゴーストプロファイルを作成することをさらに含む、付記２に記載の方法。
（付記１２）
複数の機会に渡っての認識に応じて前記ゴーストプロファイルを更新することをさらに含む、付記１１に記載の方法。
（付記１３）
前記第２デバイスからの入力として受信される物理的特徴を含むゴーストプロファイルからプロファイルを作成することをさらに含む、付記１１に記載の方法。
（付記１４）
デバイス設定を調整する装置であって、
第２デバイスから入力を受信し、第１デバイス又は前記第２デバイスのうちの少なくとも１つが、領域にいる人々の物理的特徴を検出する通信インタフェースであって、前記物理的特徴は、前記領域にいるユーザを判定するために前記デバイスによって使用される、通信インタフェースと、
前記領域にいる前記人々プロファイル情報を読み出す、プロファイルモジュールであって、前記プロファイルモジュールは前記通信インタフェースと通信し、前記領域にいる前記人々のプロファイル間の関係を判定し、ストレージモジュールに前記判定された関係を記憶する、プロファイルモジュールと、
前記領域にいる前記人々のプロファイル間の前記関係に応答してデバイス設定に関するコンプロマイズを判定するルールを適用するネゴシエーションスキーム判定モジュールと実行ネゴシエーションスキームモジュールであって、前記ネゴシエーションスキーム判定モジュールと前記実行ネゴシエーションスキームモジュールは、互いに通信し、前記ネゴシエーションスキーム判定モジュールは、前記ストレージモジュールと通信する、ネゴシエーションスキーム判定モジュールと実行ネゴシエーションスキームモジュールと、
前記コンプロマイズに応答して第１デバイス又は第３デバイスの設定を調整し、前記実行ネゴシエーションスキームモジュールと通信する、調整設定モジュールと、
を備える、デバイス設定を調整する装置。
（付記１５）
第２デバイスからの入力を受信する通信インタフェースであって、第１デバイス又は前記第２デバイスのうちの少なくとも１つは、領域にいる人々の物理的特徴を検出し、前記物理的特徴は、前記領域にいるユーザを判定するために前記デバイスによって使用される、通信インタフェースと、
前記領域にいる前記人々のプロファイル情報を判定し、前記通信インタフェースと通信し、プロファイル間の関係を判定するプロファイルモジュールと、
を備える、プロファイル情報を判定する装置であって、
前記装置が第１デバイスである、装置。
（付記１６）
前記領域にいる人々によって行われる活動のタイプを判定し、前記通信インタフェースと通信する存在判定モジュールをさらに備える、付記１５に記載の装置。
（付記１７）
前記活動は、歌うこと、踊ること又は運動することである、付記１６に記載の装置。
（付記１８）
前記第２デバイスからの入力に応答して前記領域にいる人々の間の距離を判定する、存在判定モジュールと、
前記領域にいる人々の間の前記距離に応答して前記第１デバイス又は第３デバイスの設定を調整し、前記通信インタフェースと通信する、調整設定モジュールと、
をさらに備える、付記１５に記載の装置。
（付記１９）
人々の間の前記距離は、前記領域の人々の間の平均距離である、付記１８に記載の装置。
（付記２０）
前記設定調整は、前記第１デバイス上の字幕を修正すること、又は前記第１デバイスのボリュームを調整すること、又は第３デバイスの暖房若しくは冷房の設定又はボリューム設定を調整することを含む、付記１８に記載の装置。
（付記２１）
第１デバイス又は第２デバイスからの人々の距離を判定する存在判定モジュールと、
前記領域にある前記第１デバイス又は前記第２デバイスからの人々の前記距離に応答して、前記第１デバイスと第３デバイスの設定を調整し、前記通信インタフェースと通信する、調整設定モジュールと、
をさらに備える、付記１５に記載の装置。
（付記２２）
前記設定の調整は、前記第１デバイス上の字幕を修正すること又は前記第１デバイスのボリュームを調整すること又は前記第３デバイスの暖房若しくは冷房の設定を調整することを含む、付記２１に記載の装置。
（付記２３）
前記第２デバイスは、また、前記領域の照明の状態を検出し、第３デバイスの設定を調整する、付記１５に記載の装置。
（付記２４）
前記第１デバイスに知られていない前記領域にいる人々に対して、又は前記第１デバイスによって認識されているが前記第１デバイス上にプロファイルを持たない前記領域にいる人々に対して、又は前記第１デバイスに注目していない前記領域にいる人々に対して、ゴーストプロファイルを作成する前記プロファイルモジュールをさらに備える付記１５に記載の装置。
（付記２５）
前記プロファイルモジュールが、複数の機会に渡る認識に応じて前記ゴーストプロファイルを更新することをさらに含む、付記２４に記載の装置。
（付記２６）
前記プロファイルモジュールが、前記第２デバイスからの入力として受信した物理的特徴を含むゴーストプロファイルからプロファイルを作成することをさらに含む、付記２４に記載の装置。
（付記２７）
前記装置は、消費家電デバイスである、付記１４に記載の装置。
（付記２８）
前記消費家電デバイスは、家庭電化製品である、付記２７に記載の装置。
（付記２９）
前記家庭電化製品は、テレビジョン、セットトップボックス及びオーディオ・ビデオレシーバのうちの１つである、付記２８に記載の装置。
（付記３０）
前記装置は、消費電化デバイスである、付記１５に記載の装置。
（付記３１）
前記消費電化デバイスは、家庭電化製品である、付記３０に記載の装置。
（付記３２）
前記家庭電化製品は、テレビジョン、セットトップボックス及びオーディオ・ビデオレシーバのうちの１つである、付記３１に記載の装置。
【国際調査報告】
2018530186.tif 000006
2018530186.tif 000007